(57)【要約】      （修正有）【課題】タブレット端末を片手で確実に安定して保持できると共に、タブレット端末の大きさによらず使用することができる保持具を提供する。【解決手段】タブレット端末１００のコーナー部１０１に着脱可能に係合させうる係合部１１と、係合部１１に接合されてタブレット端末１００の裏面部１０２側に配置されるストラップ部１２とを備え、親指２００でタブレット端末１００の側端部１０３からタブレット端末１００の表面部１０４側を保持すると共に同一の手の他の指２０１をストラップ部１２に挿通させた状態でタブレット端末１００の裏面部１０２を保持してタブレット端末１００を片手で支持するように構成されている。係合部１１は全体Ｄリング状であって、直線部１３と直線部１３の両端から延設されたＵ字状湾曲部とにより構成され、Ｕ字状湾曲部には屈曲部１５が形成される。【選択図】図１
0003197922.tif 000002
【実用新案登録請求の範囲】
【請求項１】
タブレット端末のコーナー部に着脱可能に係合させうる係合部と、前記係合部に接合されて前記タブレット端末の裏面側に配置されるストラップ部とを備え、親指で前記タブレット端末の側端部から前記タブレット端末の表面部側を保持すると共に同一の手の他の指を前記ストラップ部に挿通させた状態で前記タブレット端末の裏面部を保持して前記タブレット端末を片手で支持することを特徴とするタブレット端末保持具。
【請求項２】
前記係合部は全体Ｄリング状であって、直線部と前記直線部の両端から延設されたＵ字状湾曲部とにより構成され、前記Ｕ字状湾曲部には屈曲部が形成され、前記屈曲部と前記直線部との間の部位により形成される前記コーナー部の挿入部と、前記屈曲部と前記Ｕ字状湾曲部との間の部位により形成される裏面配置部とを有することを特徴とする請求項１記載のタブレット端末保持具。
【請求項３】
前記ストラップ部は帯状であって、前記裏面配置部に環状に巻装され、手指を挿入した場合には、前記係合部が係合したコーナー部に対向するコーナー部方向に沿って配置しうることを特徴とする請求項１記載のタブレット端末保持具。
【請求項４】
前記ストラップ部は、一本の紐状に形成され、両端部に互いに着脱可能に接合しうる接合部材が設けられ、前記両端部を接合することにより前記係合部に巻装されていると共に、着脱することにより長さ調節をしうることを特徴とする請求項３記載のタブレット端末保持具。
【請求項５】
前記ストラップ部には前記タブレット端末の裏面側に着脱可能に固定されうる固定部材が設けられていることを特徴とする請求項４記載のタブレット端末保持具。
【考案の詳細な説明】
【技術分野】
【０００１】
本考案は、指等によって操作を行うタブレット端末を保持するための保持具に関するものである。
【背景技術】
【０００２】
従来より、キーボード、マウス等の外部機器を使用せず、表示画面上を指、若しくは専用のタッチペンで直接操作する、いわゆるタブレット方式の端末は、スマートフォンに代表される携帯端末から、パソコンと同様のオペレーティングシステムを有するノートサイズの小型端末まで多種多用な形態が存在する。その中でも、携帯端末及びパソコンの機能を併せ持つタブレット端末が普及しつつある。
【０００３】
タブレット端末は、画面の見やすさ及び操作領域の確保の観点から、５〜１０インチのディスプレイを有するものが主流となっている。しかし、このようなタブレット端末は、片手で把持するには若干大きなサイズであるため、電車内等において立ったまま使用するような場合にあっては、タブレット端末を確実に保持しつつ適切に操作することは困難であった。ひいては、タブレット端末を落下させる場合もあるといった事態を招いていた。
【０００４】
前記のような事態を防止するために、タブレット端末の保持具が提案されている。例えば特許文献１には、電子タブレット保護ケースに手の平および手指を入れる伸縮性のある素材とする環状のバンドを縫製または接着により設置した電子タブレット保護ケースが開示されている。
【０００５】
また、特許文献２には、携帯用端末機の背面に形成される板型持ち手構造であって、前記背面の角４ヶ所に角を囲む形態で固定される固定部と、中央に指が挿入できる穿孔部と、前記固定部をつなぐ４辺に指が入れられるように形成された身体挿入部が上下対称で構成され、前記身体挿入部は、穿孔部側へ凹んで湾曲形成されたことを特徴とする携帯用端末機の持ち手構造が開示されている。
【０００６】
また、特許文献３には、携帯用端末機の背面に形成される取っ手の構造であって、前記背面には、固定ホールが１１字形状で平行に形成され、前記固定ホールにベルト型取っ手の固定部であるベルト両端が挿入されて固定されたことを特徴とする携帯用端末機の取っ手構造が開示されている。
【０００７】
また、特許文献４には、帯状に構成された主保持部と、該主保持部の両端縁から延在するとともに前記主保持部よりも低剛性とされた、携帯物に直接若しくは間接的に接続固定されるための一対の帯状の接続端部と、該接続端部が挿通され前記接続端部の幅方向に扁平な挿通孔を備えるとともに、それぞれ前記幅方向に延長された形状とされ前記接続端部の延在方向に対し屈折若しくは屈曲する方向に相互に移動可能に構成された複数の被挿通部を有する保護体と、を具備することを特徴とする携帯保持用帯材が開示されている。
【０００８】
しかしながら、特許文献１〜３に記載の保持具にあっては、タブレット端末ごとに、その大きさに対応したケース若しくは持ち手構造を用意しなければならないという不具合を生じていた。
【０００９】
また、特許文献４に記載の保持具にあっては、帯材内に挿入した指を帯材と端末との間に挟持固定するため、サイズの大きい端末に前記保持具を装着した場合において帯材内における指の上下方向可動範囲が広く保持安定性に欠ける。従って、確実に保持するためには、帯材をきつくしなければならず指が締め付けられるという不具合を生じていた。
【特許文献１】実用新案登録第３１８６５８９号公報
【特許文献２】特表２０１４−５２７３３５号公報
【特許文献３】特表２０１４−５１７５８４号公報
【特許文献４】特開２０１３−１６５８２３号公報
【考案の開示】
【考案が解決しようとする課題】
【００１０】
本考案は、以上のような従来からの不具合を解決するためのものであって、その課題は、タブレット端末を片手で確実に安定して保持できると共に、タブレット端末の大きさによらず使用することができる保持具を提供することにある。
【課題を解決するための手段】
【００１１】
前記課題を解決するために、請求項１に記載の考案にあっては、タブレット端末のコーナー部に着脱可能に係合させうる係合部と、前記係合部に接合されて前記タブレット端末の裏面側に配置されるストラップ部とを備え、親指で前記タブレット端末の側端部から前記タブレット端末の表面部側を保持すると共に同一の手の他の指を前記ストラップ部に挿通させた状態で前記タブレット端末の裏面部を保持して前記タブレット端末を片手で支持することを特徴とする。
【００１２】
従って、前記係合部を前記タブレット端末のコーナー部に係合させた場合には、前記タブレット端末の裏面側に前記ストラップ部が配置され、親指で前記タブレット端末の側端部から前記タブレット端末の表面部側を保持すると共に同一の手の他の指を前記ストラップ部に挿通させた状態で前記タブレット端末の裏面部を保持しうる。
【００１３】
請求項２に記載の考案にあっては、前記係合部は全体Ｄリング状であって、直線部と前記直線部の両端から延設されたＵ字状湾曲部とにより構成され、前記Ｕ字状湾曲部には屈曲部が形成され、前記屈曲部と前記直線部との間の部位により形成される前記コーナー部の挿入部と、前記屈曲部と前記Ｕ字状湾曲部との間の部位により形成される裏面配置部とを有することを特徴とする。
【００１４】
従って、前記直線部が前記タブレット端末のコーナー部の表面部側に係合すると共に、前記ストラップ部が前記Ｕ字状湾曲部に接合された状態で、前記裏面配置部が前記タブレット端末の裏面側に配置される。
【００１５】
請求項３に記載の考案にあっては、前記ストラップ部は帯状であって、前記裏面配置部に環状に巻装され、手指を挿入した場合には、前記係合部が係合したコーナー部に対向するコーナー部方向に沿って配置しうることを特徴とする。
【００１６】
従って、前記ストラップ部に手指を挿入した場合には、前記ストラップ部が、前記係合部が係合したコーナー部に対向するコーナー部方向に沿って配置される。
【００１７】
請求項４に記載の考案にあっては、前記ストラップ部は、一本の紐状に形成され、両端部に互いに着脱可能に接合しうる接合部材が設けられ、前記両端部を接合することにより前記係合部に巻装されていると共に、着脱することにより長さ調節をしうることを特徴とする。
【００１８】
従って、前記接合部材を着脱することにより前記ストラップ部の長さを調節しうる。
【００１９】
請求項５に記載の考案にあっては、前記ストラップ部には前記タブレット端末の裏面側に着脱可能に固定されうる固定部材が設けられていることを特徴とする。
【００２０】
従って、前記ストラップ部が前記タブレット端末の裏面側に着脱可能に固定される。
【考案の効果】
【００２１】
請求項１に記載のタブレット端末保持具にあっては、前記係合部を前記タブレット端末のコーナー部に係合させた場合には、前記タブレット端末の裏面側に前記ストラップ部が配置され、親指で前記タブレット端末の側端部から前記タブレット端末の表面部側を保持すると共に同一の手の他の指を前記ストラップ部に挿通させた状態で前記タブレット端末の裏面部を保持しうるので、前記タブレット端末のコーナー部、側端部、表面部、及び裏面部を同時に保持することができ、前記タブレット端末を片手で確実に安定して支持できるタブレット端末保持具を提供することができる。
【００２２】
請求項２に記載のタブレット端末保持具にあっては、前記直線部が前記タブレット端末のコーナー部の表面部側に係合すると共に、前記ストラップ部が前記Ｕ字状湾曲部に接合された状態で、前記裏面配置部が前記タブレット端末の裏面側に配置されるので、前記タブレット端末の裏面部を確実に保持することができる。
また、前記コーナー部の挿入部が屈曲部により形成されているため、前記タブレット端末のコーナー部を挿入しやすく、タブレット端末に迅速に取付けて使用できるタブレット端末保持具を提供することができる。また、さらに、前記ストラップ部が前記Ｕ字状湾曲部に接合されているので、前記ストラップ部を前記タブレット端末の裏面側において前記Ｕ字状湾曲部に沿って任意の角度で配置させることができることから、使用者の手の大きさやタブレット端末の大きさにかかわらず、自由にストラップ部に手指を挿入して使用することができる。
【００２３】
請求項３に記載のタブレット端末保持具にあっては、前記ストラップ部に手指を挿入した場合には、前記ストラップ部が、前記係合部が係合したコーナー部に対向するコーナー部方向に沿って配置されるので、前記タブレット端末のコーナー部及び裏面部を片手で確実に安定して支持できる。
【００２４】
請求項４に記載のタブレット端末保持具にあっては、前記接合部材を着脱することにより前記ストラップ部の長さを調節しうるので、タブレット端末の大きさによらず使用することができる保持具を提供することができる。
【００２５】
請求項５に記載のタブレット端末保持具にあっては、前記ストラップ部が前記タブレット端末の裏面側に着脱可能に固定されるので、前記タブレット端末の裏面部を片手で確実に安定して支持できる。
【図面の簡単な説明】
【００２６】
【図１】本考案に係るタブレット端末保持具の一実施の形態において、タブレット端末の表面部側から見た斜視図である。
【図２】本考案に係るタブレット端末保持具の一実施の形態において、タブレット端末の裏面部側から見た斜視図である。
【図３】本考案に係るタブレット端末保持具の一実施の形態を示す側面図である。
【図４】本考案に係るタブレット端末保持具の一実施の形態において、係合部を示す拡大斜視図である。
【考案を実施するための最良の形態】
【００２７】
以下、添付図面に示す実施の形態に基づき、本考案を詳細に説明する。
図１及び図２に示すように、本考案の一実施の形態に係るタブレット端末保持具１０は、タブレット端末１００のコーナー部１０１に着脱可能に係合させうる係合部１１と、係合部１１に接合されてタブレット端末１００の裏面部１０２側に配置されるストラップ部１２とを備え、親指２００でタブレット端末１００の側端部１０３からタブレット端末１００の表面部１０４側を保持すると共に同一の手の他の指２０１、２０２、２０３、２０４をストラップ部１２に挿通させた状態でタブレット端末１００の裏面部１０２を保持してタブレット端末１００を片手で支持するように構成されている。
【００２８】
また、図４に示すように、係合部１１は全体Ｄリング状であって、直線部１３と直線部１３の両端から延設されたＵ字状湾曲部１４とにより構成され、Ｕ字状湾曲部１４には屈曲部１５、１５が形成され、屈曲部１５、１５と直線部１３との間の部位により形成されるコーナー部１０１の挿入部１６と、屈曲部１５、１５とＵ字状湾曲部１４との間の部位により形成される裏面配置部１７とを有している。
【００２９】
また、図１〜図４に示すように、ストラップ部１２は帯状であって、裏面配置部１７に環状に巻装され、手指２０１、２０２、２０３、２０４を挿入した場合には、係合部１１が係合したコーナー部１０１に対向するコーナー部１０５方向に沿って配置されるように構成されている。
【００３０】
また、図１〜図４に示すように、ストラップ部１２は、平面長方形状の伸縮性を有する一本の紐状に形成され、両端部１８、１８に互いに着脱可能に接合しうる接合部材１９、１９が設けられ、両端部１８、１８を接合することにより係合部１１に巻装されていると共に、着脱することによりストラップ部１２の長さＬが調節可能に構成されている。
また、図３に示すように、ストラップ部１２にはタブレット端末１００の裏面部１０２側に着脱可能に固定されうる固定部材２０、２０が設けられている。
【００３１】
また、図３に示すように、本実施の形態に係るタブレット端末保持具１０にあっては、接合部材１９、１９は平面長方形状の面ファスナーで構成され、接合部材１９、１９の幅寸法は、ストラップ部１２の幅寸法と略同一に形成され、ストラップ部１２の長さ方向に沿って縫着されている。
また、図３に示すように、ストラップ部１２に設けられた固定部材２０、２０に、夫々、係合しうる固定部材２１、２１が、タブレット端末１００の裏面部１０２側に設けられている。固定部材２０、２０、２１、２１は平面円盤形状の面ファスナーで構成され、ストラップ部１２及びタブレット端末の裏面部１０２における任意の位置に着脱可能に接着されている。
【００３２】
本実施の形態に係るタブレット端末保持具１０の作用について、添付図面を用いて説明する。
図１及び図２に示すように、本実施の形態に係るタブレット端末保持具１０を使用する場合には、タブレット端末保持具１０の係合部１１を、タブレット端末１００のコーナー部１０１に係合させる。その結果、直線部１３がタブレット端末１００のコーナー部１０１の表面部１０４側に係合すると共に、ストラップ部１２がＵ字状湾曲部１４に接合された状態で、裏面配置部１７がタブレット端末１００の裏面部１０２側に配置される。
【００３３】
さらに、親指２００でタブレット端末１０の側端部１０３からタブレット端末１００の表面部１０４側を保持すると共に、同一の手の他の指２０１、２０２、２０３、２０４をストラップ部１２に挿通させる。その結果、ストラップ部１２が、係合部１１が係合したコーナー部１０１に対向するコーナー部１０５方向に沿って配置される。
【００３４】
従って、本実施の形態に係るタブレット端末保持具１０にあっては、タブレット端末１００のコーナー部１０１、側端部１０３、表面部１０４、及び裏面部１０２を同時に保持することができ、タブレット端末１００を片手で確実に安定して支持できるタブレット端末保持具１０を提供することができる。
【００３５】
また、図１〜図４に示すように、本実施の形態に係るタブレット端末保持具１０にあっては、コーナー部１０１の挿入部１６が屈曲部１５により形成されているため、タブレット端末１００のコーナー部１０１を挿入しやすく、タブレット端末１００に迅速に取付けて使用することができる。
【００３６】
また、図３に示すように、本実施の形態に係るタブレット端末保持具１０にあっては、タブレット端末１００の裏面部１０２側に固定部材２１、２１を取り付けておくことで、ストラップ部１２に設けられた固定部材２０、２０を固定部材２１、２１に、夫々、係合固定することができ、ストラップ部１２をタブレット端末１００の裏面部１０２に確実に固定することができる。
この際、本実施の形態に係る固定部材２０、２０、２１、２１は、面ファスナーで構成されているので、ストラップ部１２をタブレット端末１００の裏面部１０２に迅速かつ容易に固定することができる。
【００３７】
また、図１及び図２に示すように、本実施の形態に係るタブレット端末保持具１０にあっては、ストラップ部１２がＵ字状湾曲部１４に接合されているので、ストラップ部１２をタブレット端末１００の裏面部１０２側においてＵ字状湾曲部１４に沿って任意の角度で配置させることができることから、使用者の手の大きさやタブレット端末１００の大きさにかかわらず、自由にストラップ部１２に手指を挿入して使用することができる。
【００３８】
また、図３に示すように、本実施の形態に係るタブレット端末保持具１０にあっては、接合部材１９、１９を着脱することによりストラップ部１２の長さＬを調節しうるので、タブレット端末１００の大きさによらず使用することができる。
この際、本実施の形態に係る接合部材１９、１９は、面ファスナーで構成されているので、ストラップ部１２の長さＬの調節を迅速かつ容易に行うことができる。
【００３９】
また、さらに、本実施の形態に係る固定部材２０、２０、２１、２１は平面円盤形状の面ファスナーで構成され、ストラップ部１２及びタブレット端末の裏面部１０２における任意の位置に着脱可能に接着されていることから、タブレット端末１００の大きさによらず使用することができる。
【００４０】
本実施の形態に係る係合部１１は全体Ｄリング状であって、直線部１３と直線部１３の両端から延設されたＵ字状湾曲部１４とにより構成され、Ｕ字状湾曲部１４には屈曲部１５が形成され、屈曲部１５と直線部１３との間の部位により形成されるコーナー部１０１の挿入部１６と、屈曲部１５とＵ字状湾曲部１４との間の部位により形成される裏面配置部１７とを有している場合を例に説明したが、前記構成に限定されない。
【００４１】
また、本実施の形態に係るストラップ部１２は帯状であって、裏面配置部１７に環状に巻装され、手指２０１、２０２、２０３、２０４を挿入した場合には、係合部１１が係合したコーナー部１０１に対向するコーナー部１０５方向に沿って配置されるように構成されている場合を例に説明したが、前記構成に限定されない。
【００４２】
また、本実施の形態に係るストラップ部１２は、一本の紐状に形成され、両端部１８、１８に互いに着脱可能に接合しうる接合部材１９、１９が設けられ、両端部１８、１８を接合することにより係合部１１に巻装されていると共に、着脱することによりストラップ部１２の長さＬが調節可能に構成されている場合を例に説明したが、前記構成に限定されず、ストラップ部の長さが調節可能に構成されていればよい。
【００４３】
また、本実施の形態に係るストラップ部１２にはタブレット端末１００の裏面部１０２側に着脱可能に固定されうる固定部材２０、２０が設けられている場合を例に説明したが、前記構成に限定されない。
【産業上の利用可能性】
【００４４】
本考案は、タブレット端末等の保持具に広く適用可能であり、産業上利用可能性を有している。
【符号の説明】
【００４５】
１０：タブレット端末保持具
１１：係合部
１２：ストラップ部
１３：直線部
１４：Ｕ字状湾曲部
１５：屈曲部
１６：挿入部
１７：裏面配置部
１８：両端部
１９：接合部材
２０、２１：固定部材
１００：タブレット端末
１０１、１０５：コーナー部
１０２：裏面部
１０３：側端部
１０４：表面部
２００：親指
２０１、２０２、２０３、２０４：他の指
【図１】
0003197922.tif 000003
【図２】
0003197922.tif 000004
【図３】
0003197922.tif 000005
【図４】
0003197922.tif 000006
【手続補正書】
【提出日】平成27年4月1日(2015.4.1)
【手続補正１】
【補正対象書類名】実用新案登録請求の範囲
【補正対象項目名】請求項３
【補正方法】変更
【補正の内容】
【請求項３】
前記ストラップ部は帯状であって、前記裏面配置部に環状に巻装され、手指を挿入した場合には、前記係合部が係合したコーナー部に対向するコーナー部方向に沿って配置しうることを特徴とする請求項２記載のタブレット端末保持具。